(57)【特許請求の範囲】
【請求項１】
波長多重システムにおいて伝達される信号光の各波長の光パワーを検出する光パワーモニタであって、
送出する波長の光信号に周波数変調成分を重畳する光送出部と、
該信号光の使用波長帯域に渡って透過帯域をスイープする波長可変フィルタと、
該波長可変フィルタを透過してきた光パワーの、該周波数変調に伴う強度変化を検出し、該波長可変フィルタの透過帯域のスイープに対応して、該スイープ方向における光パワーの２つの強度変化点の位置の中間点の光パワー測定値を、被測定波長の光パワーとして検出する検出部と、
を備え、
該波長可変フィルタは、該周波数変調の速度よりも遅い速度で該透過帯域をスイープし、
該検出部は、該波長可変フィルタを透過してきた光信号の光パワーの測定を、該光信号を光電変換して得られた電気信号を用いて行う、
ことを特徴とする光パワーモニタ。
【請求項２】
前記周波数変調成分は、前記光送出部に設けられる、発振周波数可変の光源に正弦波の周波数制御信号を印加して得られることを特徴とする請求項１に記載の光パワーモニタ。
【請求項３】
前記周波数変調成分は、前記光送出部に設けられる、データ信号変調を行う光変調器の駆動信号に、正弦波信号を重畳して得られることを特徴とする請求項１に記載の光パワーモニタ。
【請求項４】
請求項１の光パワーモニタと、
該光パワーモニタで測定された光パワーを、光パワーの目標値と比較し、測定された光パワーが該目標値になるように、請求項１の光送出部の出力光パワーを制御する制御部と、
を備える光パワー制御装置。
【請求項５】
請求項１の光パワーモニタを備えるアド・ドロップノード。
【請求項６】
波長多重システムにおいて伝達される信号光の各波長の光パワーを検出する光パワーモニタ方法であって、
送出する波長の光信号に周波数変調を重畳し、
該周波数変調の速度よりも遅い速度で、該信号光の使用波長帯域に渡って、波長可変フィルタの透過帯域をスイープし、
該波長可変フィルタを透過してきた光信号の光パワーの測定を、該光信号を光電変換して得られた電気信号を用いて行って、該波長可変フィルタを透過してきた光パワーの、該周波数変調に伴う強度変化を検出し、
該波長可変フィルタの透過帯域のスイープに対応して、該スイープ方向における光パワーの２つの強度変化点の位置の中間点の光パワー測定値を、光パワーの被測定波長の光パワーとして検出する、
ことを特徴とする光パワーモニタ方法。
【発明の詳細な説明】
【技術分野】
【０００１】
以下の実施形態は、光パワーモニタに関する。
【背景技術】
【０００２】
近年の通信トラフィックの増加に伴い、通信速度の更なる向上が必要となってきた。通信速度を上げるため、光帯域の周波数利用効率を向上させることが望まれている。
周波数利用効率を向上させる技術として、ＯＦＤＭ（Orthogonal Frequency Division Multiplexing）技術やＮｙｑｕｉｓｔ−ＷＤＭ（Wavelength Division Multiplexing）技術が検討されている。ＯＦＤＭ技術やＮｙｑｕｉｓｔ−ＷＤＭ技術においては、従来の波長間隔より、より狭い波長間隔で波長を多重して送信する。特に、ＯＦＤＭ技術やＮｙｑｕｉｓｔ−ＷＤＭ技術を用いて、複数のサブチャネル信号を多重し、一つの信号とみなすＳｕｐｅｒｃｈａｎｎｅｌという方式の適用が、１００Ｇｂｐｓ以上の伝送システムを実現する上で考えられている。このようなＳｕｐｅｒｃｈａｎｎｅｌにおいて、特にサブチャネル信号の多重を光領域で行う場合、合波部の光カプラや光フィルタの損失ばらつき等により、Ｓｕｐｅｒｃｈａｎｎｅｌ内のサブチャネル信号間にパワーレベル差が生じる可能性がある。また、伝送路中の光増幅器の波長依存性や隣接チャネルのＡｄｄ／Ｄｒｏｐにおけるフィルタリング等によってもＳｕｐｅｒｃｈａｎｎｅｌ内のサブチャネル信号間に光パワーレベル差が発生する可能性がある。
【０００３】
図１は、Ｓｕｐｅｒｃｈａｎｎｅｌ方式におけるサブチャネル信号パワーのばらつきについて説明する図である。
各波長の送信器ＴＸから光信号が送出され、波長多重部１０、１１によって、各波長の光信号が多重される。このとき、各送信器ＴＸの送出パワーレベルが適切に調整されていないと、ａに示すスペクトルの模式図のように、一つの信号を構成するＳｕｐｅｒｃｈａｎｎｅｌ内で信号パワーのばらつきが発生しうる。これは、波長多重部１０、１１などにおける損失ばらつき等により生じる。
【０００４】
また、伝送路の途中にあるアド・ドロップノード１２においては、たとえば、信号がＳｕｐｅｒｃｈａｎｎｅｌ単位でアドされることになるが、波長選択スイッチ（ＷＳＳ; Wavelength Selective Switch）のフィルタ特性により、Ｓｕｐｅｒｃｈａｎｎｅｌの両端の光パワーが減衰することが起こる。この様子を模式的に示したのが、ｂに示されるスペクトルの模式図である。
【０００５】
以上より、受信側での光信号のスペクトルは、スペクトルの模式図ｃにあるように、Ｓｕｐｅｒｃｈａｎｎｅｌ内で光パワーが異なることになり、信号品質差が発生して、受信品質の劣化を引き起こすことになる。
【０００６】
そのため、サブチャネル信号ごとに光パワーレベルをモニタすることが必要となる。しかし、Ｓｕｐｅｒｃｈａｎｎｅｌ内サブチャネル信号の波長間隔は、従来のＷＤＭ周波数信号間隔（５０ＧＨｚ；波長間隔と周波数間隔は実質的に同等のことを指す）より狭いため、簡易な構成で、高精度にモニタすることが難しいという問題がある。
【０００７】
従来技術には、透過フィルタの透過波長をスキャンするＯＣＭ（Optical Channel Monitor）で各（波長の）チャネルのパワーを検出し、各チャネル間のパワーばらつきを低減するように制御するものがある。
【先行技術文献】
【特許文献】
【０００８】
【特許文献１】特開２０１１−０８２７４９号公報
【発明の概要】
【発明が解決しようとする課題】
【０００９】
図２は、従来のＷＤＭ信号光のチャネルモニタの構成例を示す図である。
送信器ＴＸ１〜ＴＸ８８から出力される各波長の光信号は、波長多重装置ＭＵＸ１０ａによって多重され、主信号として送出される。そして、主信号を光カプラ１５で分岐し、Optical Channel Monitor(ＯＣＭ)１６でモニタする。
【００１０】
ＯＣＭの中で、波長可変フィルタとフォトダイオード（ＰＤ）を用いるタイプでは、測定波長帯域に渡って、波長可変フィルタの透過波長をスィープさせることにより、ＷＤＭ信号の各チャネルのパワーを検出する。すなわち、波長可変フィルタの透過波長を徐々に変化させ、透過してくる光パワーをフォトダイオードで検出し、その光パワーのピークの中心波長の光パワーを各チャネルの光パワーとする。この場合、波長可変フィルタのフィルタ幅によりＯＣＭの分解能が決まる。実用化されているＯＣＭでは50GHz間隔のＷＤＭ信号に対しては、十分な分解能を持っており、各チャネルのパワーレベルだけではなく、光スペクトル波形まで再現することができる。従来のＯＣＭでは、ＯＳＮＲ（Optical Signal To Noise Ratio）の測定もある程度ならば可能であるため、光パワーレベルについては、精度良く測定することが可能である。
【００１１】
図２のａのＯＣＭ入力光スペクトルに対し、ｂのＯＣＭ出力波形は、各サブチャネル信号のピークを検出するのに十分な分解能を有しており、光パワーの検出も正しく行える。
【００１２】
図３は、Ｓｕｐｅｒｃｈａｎｎｅｌを採用した場合の従来のＯＣＭの問題点を説明する図である。
Ｓｕｐｅｒｃｈａｎｎｅｌのサブチャネル信号の光パワーをモニタする場合、図３に示すように、従来のＷＤＭ信号に比べ、サブチャネル信号の波長間隔が狭いため、ＯＣＭの分解能が足りない。特に、隣接チャネルとのパワーレベル差が大きい場合、サブチャネル信号のスペクトル波形を再現できない可能性がある。したがって、光パワーレベルを精度良く測定できないという問題点があった。
【００１３】
すなわち、図３のａに示されるような、サブチャネル信号の波長間隔が狭い入力光スペクトルに対し、図３のｂに示されるように、従来のＯＣＭでは、隣接するサブチャネル信号の光パワーが重なってしまう。すなわち、従来のＯＣＭは、各サブチャネル信号の光パワーを正しく検出できるほど分解能を有しておらず、光パワーモニタの検出値に含まれる誤差が大きくなってしまう。
【００１４】
以下の実施形態においては、光信号の波長間隔が狭くても、光信号の光パワーを正しくモニタすることのできる光パワーモニタを提供する。
【課題を解決するための手段】
【００１５】
以下の実施形態の一側面における光パワーモニタは、波長多重システムにおいて伝達される信号光の各波長の光パワーを検出する光パワーモニタであって、送出する波長の光信号に周波数変調を重畳する光送出部と、該信号光の使用波長帯域に渡って透過帯域をスイープする波長可変フィルタと、該波長可変フィルタを透過してきた光パワーの、該周波数変調に伴う強度変化を検出し、該波長可変フィルタの透過帯域のスイープに従って得られる、２つの光パワーの強度変化のスイープ方向の位置の中間点の光パワー測定値を、光パワーの被測定波長の光パワーとして検出する検出部とを備える。なお、該波長可変フィルタは、該周波数変調の速度よりも遅い速度で該透過帯域をスイープする。また、該検出部は、該波長可変フィルタを透過してきた光信号の光パワーの測定を、該光信号を光電変換して得られた電気信号を用いて行う。
【発明の効果】
【００１６】
以下の実施形態によれば、光信号の波長間隔が狭くても、光信号の光パワーを正しくモニタすることのできる光パワーモニタを提供することができる。
【図面の簡単な説明】
【００１７】
【図１】Ｓｕｐｅｒｃｈａｎｎｅｌ方式におけるサブチャネル信号パワーのばらつきについて説明する図である。
【図２】従来のＷＤＭ信号光のチャネルモニタの構成例を示す図である。
【図３】Ｓｕｐｅｒｃｈａｎｎｅｌを採用した場合の従来のＯＣＭの問題点を説明する図である。
【図４】本実施形態を説明する図（その１）である。
【図５】本実施形態を説明する図（その２）である。
【図６】本実施形態を説明する図（その３）である。
【図７】本実施形態を説明する図（その４）である。
【図８】本実施形態を説明する図（その５）である。
【図９】光パワー検出／周波数変調成分分離・振幅検出回路の検出処理部の構成例を示す図である。
【図１０】低速の周波数変調をかけるための構成例を示す図（その１）である。
【図１１】低速の周波数変調をかけるための構成例を示す図（その２）である。
【図１２】光パワーの制御に減衰器を使用する送信機の構成例を示す図である。
【図１３】本実施形態が適用されるアド・ドロップノードのブロック構成図である。
【発明を実施するための形態】
【００１８】
図４〜図８は、本実施形態を説明する図である。
図４（ａ）にあるように、高速な主信号データ列に対し、低速な正弦波信号を光信号の周波数変調のために重畳する。光送信器２０には、主信号データ列を構成する高速な電気信号が印加され、高速な光信号を生成する。低速な正弦波信号は、周波数変調成分の重畳可能な光送信器２０に低速な正弦波電気信号を印加することによって、光信号に重畳される。この周波数変調成分の重畳によって、図４（ｂ）に示されるように、光出力スペクトルが周波数軸方向に時間変動することになる。なお、以下では、低速な周波数変調信号として、正弦波信号を示すが、矩形波や三角波でもよい。
【００１９】
図５に、モニタ受信部の構成例を示す。主信号から分岐された信号光は狭帯域の波長可変フィルタ２５を通り、ＰＤ２６に入力する。ここで、波長可変フィルタ２５のフィルタ幅は、従来のＯＣＭで使用しているものと同等のものを使用する。
【００２０】
波長可変フィルタ２５の透過波長を、主信号に重畳された低速な周波数変調の速度よりもゆっくりと、使用波長帯域に渡って掃引する。そして、従来のＯＣＭと同様に波長可変フィルタ２５を透過してきた光パワーを検出する。
【００２１】
波長可変フィルタ２５の周波数特性における透過帯域の両側の肩の部分は、光の透過率が波長により急激に変化する部分である。したがって、波長可変フィルタ２５が透過波長を掃引すると、低速な周波数変調が重畳された光信号は、波長可変フィルタ２５の周波数特性における透過帯域の肩の部分で、透過帯域を出たり入ったりする。したがって、この両肩の部分で、低速な周波数変調が重畳された光信号の透過帯域を透過する光パワーが変化し、周波数変調成分を光の強度の変化として検出できる。光パワーの被測定光信号のみに低速の周波数変調がかかっている場合、その被測定光信号のみ、波長可変フィルタ２５の周波数特性における両肩の部分で光強度の変化が検出される。したがって、光パワー検出／周波数変調成分分離・振幅検出回路２７で、光強度変化として現れる低速の周波数変調の周波数成分を抽出すると、波長可変フィルタ２５の掃引方向に2つの山が現れる。波長可変フィルタ２５の掃引方向の、この2つの山（図５（ｂ）のａ、ｂ）の中間点（図５（ｂ）のｃ）を、被測定光信号のピークとして、特定することができ、中間点の近傍の測定光パワーのデータを用いれば、精度の良いパワーレベル検出が可能になる。
【００２２】
図５（ａ）では、波長可変フィルタ２５の使用波長帯域を波長方向に掃引しており、図５（ｂ）では、波長可変フィルタ２５の掃引方向を、掃引にかかる時間として表している。したがって、図５（ｂ）の時間方向が光スペクトルの周波数方向であり、図５（ａ）の波長方向である。
【００２３】
このように、簡易的な構成で、精度のよい光スペクトルアナライザを構成することができ、波長領域の各ポイントのパワーレベルを取得できるようになる。
【００２４】
周波数変調の周波数は、高速な主信号の低域側周波数成分の影響がない領域とする。したがって、主信号の変調フォーマット、変調速度により、その領域は変わってくるものの、通常、数百ｋＨｚ程度までの周波数であれば問題ない。
【００２５】
Ｓｕｐｅｒｃｈａｎｎｅｌのサブチャネル信号のように、ＷＤＭ信号の波長間隔が狭い場合にも、ＷＤＭ信号の各波長の光信号のピーク位置を特定し、ピーク位置の近傍のパワーを検出するため、精度の良い光パワーのモニタが可能になる。
【００２６】
また、サブチャネル信号の中心波長が規定の波長からずれている場合でも、サブチャネル信号の存在する位置を特定できるので、精度の良いモニタが可能となる。
さらに、ＷＤＭ信号の周波数間隔が周波数変調の振幅程度離れている信号については、同時に２つ以上のサブチャネル信号に周波数変調をかけることで、同時検出が可能である。
【００２７】
また、各信号に異なる周波数の周波数変調をかけ、検出部でもその周波数に対応する複数の検出器を用意すれば（あるいは、複数の周波数を検出可能な１つの検出器でもよい）、全ての信号を同時に検出することが可能となる。
【００２８】
図６は、本実施形態の光パワーモニタの全体構成図である。
図６では、本実施形態の信号パワーレベル検出機能を用いて、ＷＤＭシステムの各信号の光パワーレベルを制御する構成を示している。光パワーの取得とともに、周波数変調成分を検出し、被測定信号のパワーレベルを特定する。そして、目標パワーレベルとの比較を行い、その差を送信器制御装置３１と光パワーレベル制御値算出回路３０からなる回路にフィードバックし、送信器ＴＸ1〜ＴＸＮの光出力パワー値の再設定を行う。この作業を繰り返すことにより、目標の光パワーレベルに設定することが可能になる。
【００２９】
送信器ＴＸ1〜ＴＸＮは、各波長の光信号を出力する。ここでは、送信器ＴＸ1〜ＴＸＮは、Ｓｕｐｅｒｃｈａｎｎｅｌのサブチャネルの光信号をそれぞれ出力するとしている。光波長多重装置１０は、送信器ＴＸ1〜ＴＸＮが出力する光信号を多重し、Ｓｕｐｅｒｃｈａｎｎｅｌを生成するものとしている。図6には図示していないが、このような、Ｓｕｐｅｒｃｈａｎｎｅｌを生成する送信器と波長多重装置が複数用意され、それぞれのＳｕｐｅｒｃｈａｎｎｅｌが波長多重装置１１によって多重されて、ＷＤＭ信号光が生成される。
【００３０】
波長多重部１１から出力される信号光は、光カプラ１５によって分岐され、狭帯域波長可変フィルタ２５に入力される。狭帯域波長可変フィルタ２５は、透過帯域の中心波長を可変して、主信号の使用波長帯域に渡って掃引する。狭帯域波長可変フィルタ２５を透過した光は、ＰＤ２６によって電気信号に変換される。ＰＤ２６の出力は、光パワー検出／周波数変調成分分離・振幅検出回路２７に入力される。光パワー検出／周波数変調成分分離・振幅検出回路２７では、前述のように、主信号のサブチャネルに重畳されている周波数変調成分を検出し、サブチャネルの光パワーを検出する。
【００３１】
光パワーレベル制御値算出回路３０では、検出されたサブチャネルの光パワーと、光パワーの目標値とを比較し、その差分を送信器制御装置３１に入力する。送信器制御装置３１は、光パワーレベル制御値算出回路３０からの信号に従って、光パワーが検出されたサブチャネルの送信器ＴＸ１〜ＴＸＮの一つの送信パワーを、前記差分の分だけ変化させる。また、送信器制御装置３１はまた、光パワーを検出しようとするサブチャネルの送信器ＴＸ1〜ＴＸＮの一つの送信信号に低速の周波数変調（ＦＭ変調）をかける制御を行う。
【００３２】
ここで、光パワーを検出するサブチャネルは一つであるとして説明したが、前述のように、同時に複数のサブチャネルの光パワーを検出可能である。この場合には、送信器制御装置３１は、２以上の送信器に低速の周波数変調信号を印加するようにする。これは、周波数変調の振幅が、サブチャネルの周波数間隔より小さい場合に適用可能である。あるいは、２以上の異なる周波数で低速の周波数変調をかけるようにしてもよい。光パワー検出／周波数変調成分分離・振幅検出回路２７では、狭帯域波長可変フィルタ２５が透過帯域を掃引するに従い現れる、低速の周波数変調による光パワーの強度変化を検出し、前述の方法で、サブチャネルの光パワーを検出する。
【００３３】
図７は、本実施形態の光パワーモニタを用いて光パワーの調整を行う処理のフローチャートである。
はじめに、被測定サブチャネルを送信する送信器に周波数変調信号を印加する（ステップＳ１０）。ステップＳ１１で、出力光パワーの調整を行う。次に、波長可変フィルタを掃引し、光パワーと周波数変調成分を検出する(ステップＳ１２)。この周波数変調成分の検出から、被測定信号光のピーク波長を特定し、ピーク波長の近傍の光パワー測定値からパワーレベルを算出する（ステップＳ１３）。続いて、目標の光パワーレベルと比較し（ステップＳ１４）、差分がある場合には、再び送信器の光出力パワーを調整し（ステップＳ１１）、光パワーレベルの測定を行う（ステップＳ１２、Ｓ１３）。この作業を繰り返し、所望の光パワーレベルになれば、ステップＳ１５で他に光パワーレベルの調整が必要な送信器があるか判断し、ある場合には、別のチャネルの送信器の調整に移行する。この作業を繰り返し、全ての送信器について、調整が完了すれば、光パワーレベルの制御は完了となる。
【００３４】
図８は、ピーク検出処理のフローチャートである。
ステップＳ２０において、狭帯域波長可変フィルタを使用波長領域に渡ってスイープし（掃引し）、その透過光をフォトダイオードで受光する。ステップＳ２１において、光パワー検出／周波数変調成分分離・振幅検出回路により、波長可変フィルタをスイープしている間に、ある一定の間隔で、透過光パワーと周波数変調成分の検出における振幅値を取得する。ステップＳ２２において、周波数変調による振幅値検出で得られた２つのピークポイントの中間点を被測定波長の中心波長と判定し、その近傍の透過光パワー検出値を用いて、被測定波長の光パワーレベルを算出する。
【００３５】
図９は、光パワー検出／周波数変調成分分離・振幅検出回路の検出処理部の構成例を示す図である。
狭帯域波長可変フィルタからの光入力は、ＰＤ２６に入力され、電気信号に変換される。ＰＤ２６の出力は、強度検出器４０に入力され、ＰＤ２６で受光された信号光の光パワー強度が検出される。強度検出器４０が検出した光パワー強度は、信号光のスペクトルの各波長における強度の測定値となる。ＰＤ２６の出力は、バンドパスフィルタ４１にも入力される。バンドパスフィルタ４１は、周波数変調の周波数成分のみを抽出するように透過帯域が設定される。周波数変調成分が、２以上のサブキャリアに異なる周波数で重畳されている場合には、バンドパスフィルタ４１の透過帯域を可変としてもよいし、２以上の周波数成分が透過可能な透過帯域としてもよい。バンドパスフィルタ４１の透過信号は、振幅検出器４２に入力され、信号の強度変化が検出される。１つのサブキャリアあるいは波長に周波数変調が重畳されている場合には、不図示の狭帯域波長可変フィルタが透過帯域をスイープする間に、２つのポイントで強度変化が検出される。その２つのポイントの中間点がサブキャリアの存在する波長位置であり、その中間点の光パワーを被測定サブキャリアの光パワーとする。
【００３６】
図１０及び図１１は、低速の周波数変調をかけるための構成例を示す図である。
図１０は、ＦＭ変調機能付きレーザ光源を用いる場合を示す。送信器ＴＸには、ＦＭ変調機能付きレーザ光源４５と光変調器４６が設けられる。光変調器４６には、主信号データ列を表す高速電気信号が印加され、レーザ光源４５からの光に対し、データ変調をかける。本実施形態を実施するための低速な周波数信号は、ＦＭ変調機能付きレーザ光源４５に低速な正弦波信号を印加し、レーザ光源４５の発振する光の周波数をじかに変化させる。
【００３７】
図１１は、光変調器駆動信号に対するデジタル信号処理によりＦＭ変調を重畳する構成を示す。この構成の詳細は、特願２０１０-２６９０２０号の明細書に詳細が記載されている。図１１の構成は、送信器に含まれる光変調のための構成である。主信号データ列の高速電気信号は、符号マッピング回路５０において、Ｉ、Ｑ信号にマッピングされる。中心周波数調整回路５１は、サブチャネルの中心周波数を設定する。設定された中心周波数を用いて、演算器５２において、２πｆΔＴが演算される。ここで、ｆが中心周波数であり、ΔＴは、デジタル的な時間変数の時間間隔である。乗算器５３において、演算器５２の出力と、低速な正弦波信号が乗算され、サイン・コサイン生成部５４−１、５４−２において、Ｉ、Ｑ信号を載せるキャリア波が生成される。生成されたサイン・コサイン波が、乗算器５５、５６、５８、５９及び加算器５７、６０によって、Ｉ、Ｑ信号に複素演算として乗算される。このようにして得られた２つの信号が、ＤＡＣ（Digital to Analog Convertor）６１でアナログ信号に変換され、ＩＱ変調器６２に印加されて、レーザダイオードＬＤ６３からの光に変調をかけるのに用いられる。
【００３８】
図１２は、光パワーの制御に減衰器を使用する送信機の構成例を示す図である。
図１２において、図６と同じ構成要素には同じ参照符号を付す。
波長多重装置７２から送出される主信号の信号光は、光カプラ１５で分岐され、狭帯域波長可変フィルタ２５によってフィルタリングされる。狭帯域波長可変フィルタ２５からの出力光は、ＰＤ２６によって電気信号に変換され、光パワー検出／周波数変調成分分離・振幅検出回路２７によって、サブチャネルの波長の光パワーが検出される。光パワー検出／周波数変調成分分離・振幅検出回路２７からの出力信号は、光パワーレベル制御値算出回路３０に入力され、検出された光パワーと光パワーの目標値とが比較され、その差分がＶＯＡ（Variable Optical Attenuator）制御装置７０に入力される。ＶＯＡ制御装置７０は、光パワーレベル制御値算出回路３０からの光パワーと目標値との差分から、制御対象のサブチャネルの送信器からの信号光の光パワーの減衰量を設定し、制御対象のサブチャネルのＶＯＡ（可変光減衰器）を制御して、光パワーを調整する。
【００３９】
一方、光パワー検出／周波数変調成分分離・振幅検出回路２７からの測定対象のサブチャネルの情報はＦＭ変調制御装置７１に入力され、次に、どのサブチャネルを光パワーの測定対象とするかが決定される。この測定対象の決定の仕方は、単純に波長の短いほうから順に測定対象とするというようなものでよい。ＦＭ変調制御装置７１は、光パワーの測定対象のサブチャネルの送信器ＴＸ1〜ＴＸＮを選択し、低速の周波数変調信号を、選択された送信器に印加する。
【００４０】
図１３は、本実施形態が適用されるアド・ドロップノードのブロック構成図である。
図１３において、カプラ８０、波長可変フィルタ８１、ＰＤ８２、光パワー検出／周波数変調成分分離・振幅検出回路８３、光パワーレベル制御値算出回路８４、送信器制御装置８５は、図６の、カプラ１５、狭帯域波長可変フィルタ２５、ＰＤ２６、光パワー検出／周波数変調成分分離・振幅検出回路２７、光パワーレベル制御値算出回路３０、送信器制御装置３１に対応する。
【００４１】
アド・ドロップノード７５に入力される信号光は、プレアンプ７６によって増幅され、カプラ７７に入力される。カプラ７７は、プレアンプ７６の出力を分岐する。分岐された信号光は、波長分離装置７８に入力され、各波長の光信号に分離される。分離された光信号は、いずれかの受信器RXによって受信される。
【００４２】
カプラ７７からの分岐された信号光の一部は、ＷＳＳ８６に入力される。ＷＳＳ８６は、アドされる光信号の波長を選択して、カプラ７７から直接入力された光信号と合波し、出力する。ＷＳＳ８６の出力信号光は、ポストアンプ８７によって増幅され、送出される。
【００４３】
ＷＳＳ８６でアドされる光信号は、送信器ＴＸから送出され、波長多重装置７９で合波される。波長多重装置７９からの出力信号光は、カプラ８０によって分岐され、一部が波長可変フィルタ８１に入力される。波長可変フィルタ８１は、透過帯域を変化させ、使用波長帯域をスイープする。ＰＤ８２は、波長可変フィルタ８１を透過してきた光信号を電気信号に変換する。光パワー検出／周波数変調成分分離・振幅検出回路８３は、ＰＤ８２からの電気信号から、前述した本実施形態の方法で、測定対象のサブチャネルの波長の信号光の光パワーを検出する。検出された光パワーは、光パワーレベル制御値算出回路８４において、目標値と比較され、差分が演算される。光パワーレベル制御値算出回路８４で算出された差分は、送信器制御装置８５に入力され、送信器ＴＸの送出する光信号の光パワーの制御に用いられる。送信器制御装置８５は、送信器ＴＸに低速の周波数変調信号を印加する動作も行っており、測定対象となるサブチャネルの送信器ＴＸに低速のＦＭ変調をかける制御を行う。
【符号の説明】
【００４４】
１０、１０ａ、１１、７２、７９      波長多重装置
１２、７５      アド・ドロップノード
１５、７７、８０      カプラ
１６      ＯＣＭ(Optical Channel Monitor)
２０      周波数変調の重畳可能な光送信器
２５、８１      （狭帯域）波長可変フィルタ
２６、８２      ＰＤ（フォトダイオード）
２７、８３      光パワー検出／周波数変調成分分離・振幅検出回路
３０、８４      光パワーレベル制御値算出回路
３１、８５      送信器制御装置
４０      強度検出器
４１      バンドパスフィルタ
４２      振幅検出器
４５      ＦＭ変調機能付きレーザ光源
４６      光変調器
５０      符号マッピング回路
５１      中心周波数調整回路
５２      演算器
５３、５５、５６、５８、５９      乗算器
５４−１、５４−２      サイン・コサイン生成部
５７、６０      加算器
６１      ＤＡＣ（Digital to Analog Convertor）
６２      ＩＱ変調器
６３      ＬＤ（レーザダイオード）
７０      ＶＯＡ制御装置
７１      ＦＭ変調制御装置
７６      プレアンプ
７８      波長分離装置
８６      ＷＳＳ(Wavelength Selective Switch)
８７      ポストアンプ
【図１】
0005906870.tif 000002
【図２】
0005906870.tif 000003
【図３】
0005906870.tif 000004
【図６】
0005906870.tif 000005
【図７】
0005906870.tif 000006
【図８】
0005906870.tif 000007
【図９】
0005906870.tif 000008
【図１０】
0005906870.tif 000009
【図１１】
0005906870.tif 000010
【図１２】
0005906870.tif 000011
【図１３】
0005906870.tif 000012
【図４】
0005906870.tif 000013
【図５】
0005906870.tif 000014